(57)【特許請求の範囲】
【請求項１】
第1通信装置から第２通信装置に電話帳データを転送する方法であって、
前記第２通信装置は、該第２通信装置の電話帳に記憶されている電話番号データに対応して前記第２通信装置が表示可能なデータ種別を前記第１通信装置に送信し、
前記第１通信装置は、該受信した前記第２通信装置が表示可能なデータ種別の内容に基づいて前記第１通信装置の電話帳に記憶されている電話番号データに対応して前記第２通信装置が表示可能なデータ及び前記電話番号のデータを前記第２通信装置に送信することを特徴とする電話帳データの転送方法。
【請求項２】
無線接続可能な第１通信装置と第２通信装置とからなり、前記第１通信装置から前記第２通信装置に電話帳データを送信可能な通信システムにおいて、
第２の通信装置は、該第２通信装置の電話帳に記憶されている電話番号データに対応して前記第２通信装置が表示可能なデータ種別を第１通信装置へ送信し、前記第１通信装置は、該受信したデータ種別の内容に基づいて前記第１通信装置の電話帳に記憶されている電話番号データに対応して前記第２の通信装置が表示可能なデータ及び前記電話番号のデータを前記第２通信装置に送信することを特徴とする通信システム。
【請求項３】
他の通信装置と無線接続可能で、他の通信装置から送信される電話帳データを受信可能な通信装置であって、
電話帳の電話番号データに対応して自身が表示可能なデータ種別を他の通信装置に送信し、前記他の通信装置により送信された前記データ種別のデータ及び電話番号データを受信し記憶することを特徴とする通信装置。
【請求項４】
他の通信装置と無線接続可能で、他の通信装置に電話帳データを送信可能な通信装置であって、電話帳の電話番号データに対応して前記他の通信装置が表示可能なデータ種別を他の通信装置から受信し、該受信したデータの種別の内容に基づいて自身の電話帳に記憶されている電話番号データに対応して前記他方の通信装置が表示可能なデータ及び前記電話番号データを他の通信装置に送信することを特徴とする通信装置。
【発明の詳細な説明】
【０００１】
【産業上の利用分野】
本発明は電話帳データの転送方法、通信システム及び通信装置に関する。
【０００２】
【従来の技術】
近年の携帯電話装置やコードレス電話装置等の通信装置の中には、電話帳機能を有するものがある。
【０００３】
前記電話帳機能とは、ユーザの入力操作に基づいて相手先の電話番号と氏名（漢字データや“かな”データ）とを対で記憶装置に格納可能な機能である。
【０００４】
このような電話帳機能を有する通信装置を用いて相手先へ発呼を行う際には、ユーザは、前記記憶装置に格納されている相手先氏名を表示部に表示させ、前記表示部に表示されている氏名から所望の氏名を選択することにより、ダイヤル操作を行わなくとも簡単に発呼を行うことが可能である。
【０００５】
又、複数の通信装置に同一の電話番号を登録する場合、夫々の装置に電話番号の登録操作（ダイヤル入力）を施さなければならない。このような煩わしさを解消する為に、親機の記憶装置に格納されている相手先の電話番号を通信装置間で無線を用いて送信する技術が提案されている（例えば、特開平１０−１７３７５６号公報参照）。
【０００６】
更に、記憶装置に格納されている相手先の氏名（漢字とよみがな）のデータを親機と子機間で無線により送信可能なコードレス電話装置も製品化されている。
【０００７】
【発明が解決しようとする課題】
通常のコードレス電話装置では、同じメーカの子機であれば増設することが可能である。しかし、増設子機が旧型のモデルである為に、増設子機の表示部に“かな”データを表示することは可能であるが漢字データを表示することができないことがある。親機が、この様に漢字表示のできない表示部を有する増設子機に漢字データを送信すると、親機と子機間でのデータ送受信時に送信エラーとなり、子機が電話帳データを受信できない。
【０００８】
このような場合、ユーザは子機に対しても電話帳データの入力操作を行わなければならない。
【０００９】
又、親機の表示部に漢字データを表示することができず子機の表示部には漢字データを表示することが可能である場合には、親機側から子機側へは“かな”データのみ送信されるが、漢字データと“かな”データ両方が送信されなければ子機側はデータを受信しない為に、親機と子機間で送信エラーとなる。
【００１０】
【課題を解決するための手段】
本発明は、このような課題を解決する為のものであり、漢字データを表示できない表示部を有する子機に対しても、その子機の表示機能に応じた電話帳データを親機から送信することが可能な通信装置を提供する。
【００１１】
請求項１記載の電話帳データの転送方法は、第1通信装置から第２通信装置に電話帳データを転送する方法であって、前記第２通信装置は、該第２通信装置の電話帳に記憶されている電話番号データに対応して前記第２通信装置が表示可能なデータ種別を前記第１通信装置に送信し、前記第１通信装置は、該受信した前記第２通信装置が表示可能なデータ種別の内容に基づいて前記第１通信装置の電話帳に記憶されている電話番号データに対応して前記第２通信装置が表示可能なデータ及び前記電話番号のデータを前記第２通信装置に送信することを特徴とする。
【００１２】
請求項２記載の通信システムは、無線接続可能な第１通信装置と第２通信装置とからなり、前記第１通信装置から前記第２通信装置に電話帳データを送信可能な通信システムにおいて、第２の通信装置は、該第２通信装置の電話帳に記憶されている電話番号データに対応して前記第２通信装置が表示可能なデータ種別を第１通信装置へ送信し、前記第１通信装置は、該受信したデータ種別の内容に基づいて前記第１通信装置の電話帳に記憶されている電話番号データに対応して前記第２の通信装置が表示可能なデータ及び前記電話番号のデータを前記第２通信装置に送信することを特徴とする。
【００１３】
請求項３記載の通信装置は、他の通信装置と無線接続可能で、他の通信装置から送信される電話帳データを受信可能な通信装置であって、電話帳の電話番号データに対応して自身が表示可能なデータ種別を他の通信装置に送信し、前記他の通信装置により送信された前記データ種別のデータ及び電話番号データを受信し記憶することを特徴とする。
【００１４】
請求項４記載の通信装置は、他の通信装置と無線接続可能で、他の通信装置に電話帳データを送信可能な通信装置であって、電話帳の電話番号データに対応して前記他の通信装置が表示可能なデータ種別を他の通信装置から受信し、該受信したデータの種別の内容に基づいて自身の電話帳に記憶されている電話番号データに対応して前記他方の通信装置が表示可能なデータ及び前記電話番号データを他の通信装置に送信することを特徴とする。
【００１５】
【発明の実施の形態】
以下、本発明を適用してなる実施例装置について説明する。
【００１６】
尚、本実施例装置では、コードレス電話装置の親機から子機へ電話帳データを送信する際の動作について説明する。
【００１７】
本発明を適用してなる実施例装置は親機１００と子機５００とからなり、図１は親機１００のブロック図を示している。
【００１８】
図１において、入力部１１０は、電話帳データの入力操作を行う為のテンキーや、ユーザの入力操作により記憶部１２０に格納された電話番号データを表示選択する為の選択キー等を有している。
【００１９】
記憶部１２０は、前記入力部１１０のキー操作により入力された電話帳データや、後述する送受信部１３０が受信する情報である、子機５００の表示部５８０が漢字データを表示可能であるか否かを示す情報が格納されている。
【００２０】
表示部１４０は、記憶部１２０に格納されている電話帳データ等を表示する。
【００２１】
送受信部１３０は、アンテナ１５０と接続されており、子機５００との間の無線通信動作を行い、更に電話帳データ、子機５００の表示部が漢字データを表示できるか否かのデータ、電話帳データの転送指示を示すデータ等の送受信を行う。
【００２２】
ダイオードブリッジ１６０は、回線端子Ｌ１、Ｌ２と接続されており、回線端子Ｌ１、Ｌ２の極性が反転しても親機１００内の電位状態を一定に保つことを可能にしている。
【００２３】
網制御部１７０は、前記ダイオードブリッジ１６０と接続されており、送受話器がオンフック或いはオフフックされたことを検出するフック検出回路（図示せず）の検出に基づいて、後述する制御部２５０の制御の下回線閉結及び開放動作を行う。
【００２４】
スピーチネットワーク部１８０は、前記網制御部１７０と接続されており、前記網制御部１７０を介して回線Ｌから入力した音声信号を前記送受信部１３０又は後述するスピーカ１９０へ切替出力する。又、前記送受信部１３０や後述するマイク２００から入力した音声信号を網制御部１７０を介して回線Ｌへ切り換え出力する。尚、前記スピーチネットワーク部１８０は、入力した音声信号の増幅やミュートを行う為の増幅器やミュート回路等を内部に有している。
【００２５】
スピーカ１９０は、回線Ｌ又は子機５００から送信された相手側の音声を送出する。
【００２６】
マイク２００は、親機１００のユーザが発した音声信号を前記スピーチネットワーク部１８０へ送出する。
【００２７】
極性検出回路２１０は、回線Ｌの極性が反転したか否かを検出する。
【００２８】
電源回路２２０は、交流電流と直流電流の変換を行うＡＣ／ＤＣ変換部２３０を有するアダプタ２４０と接続されており、前記アダプタ２４０からの電圧を親機１００内で使用する電圧に変換し、図示しない電源ラインを介して親機１００内の各回路に電力を供給する。
【００２９】
アダプタ２４０は、交流の商用電流を直流電流に変換するＡＣ／ＤＣ変換部２３０を有しており、変換された直流電流により親機１００が駆動される。
【００３０】
制御部２５０は内部に格納された制御プログラムに基づいて上記各回路の制御を司る。
【００３１】
次に子機５００の各回路について以下に説明する。
【００３２】
送受信部５１０は、アンテナ５２０と接続されており、親機１００との間の無線接続動作や電話帳データ、子機５００の表示部が漢字データを表示できるか否かのデータ、電話帳データの転送指示を示すデータ等の送受信を行う。
【００３３】
通話回路５３０は、前記送受信部５１０と接続されており、前記送受信部５１０が親機１００から受信した音声信号を後述するスピーカ５４０へ出力する。又、前記マイク５５０から入力した音声信号を通話回路５３０を介して送受信部５１０へ送出する。尚、前記通話回路５３０には、入力した音声信号の増幅を行う為の増幅回路やミュートを行う為のミュート回路等が配されている。
【００３４】
スピーカ５４０は、送受信部５１０が受信した音声信号を出力する。
【００３５】
マイク５５０は、子機５００のユーザが発した音声信号を前記通話回路５３０へ出力する。
【００３６】
入力部５６０は、電話帳データの入力操作を行う為のテンキーや、ユーザの入力操作により記憶部５７０に格納された電話番号データを表示選択する為の選択キーや、電話帳データの転送開始を指示する為のキー等を有している。
【００３７】
記憶部５７０は、前記入力部５６０のキー操作により入力された電話帳データや、送受信部５１０が受信する情報である、親機１００の表示部１４０が漢字データを表示可能であるか否かを示す情報が格納されている。
【００３８】
表示部５８０は、記憶部５７０に格納されている電話帳データ等を表示する。
【００３９】
制御部５９０は、内部に格納されている制御プログラム（図示せず）に基づいて上記各回路の制御を司る。
【００４０】
ダイオードブリッジ６００は、バッテリ６１０からの電流が充電器７００へ流出されるのを防ぐ。
【００４１】
バッテリ６１０は、例えばニッケルカドミウム等の２次電池からなり、前記ダイオードブリッジ６００を介して充電器７００から入力した電流が充電される。
【００４２】
又、子機５００が充電器７００に設置されていない際には、前記バッテリ６１０からの電力により子機５００が駆動される。
【００４３】
電源回路６２０は、バッテリ６１０又は充電器７００から入力した電圧を子機５００内部で使用する電圧値に変換し、図示せぬ電源ラインを介して子機５００内部の各回路に電力を供給する。
【００４４】
充電器７００は、交流の商用電流を直流電流に変換するＡＣ／ＤＣ変換部７１０を有しており、変換された直流電流により子機５００が駆動されかつバッテリ６１０が充電される。
【００４５】
図３（ａ）は、親機１００の記憶部１２０内に格納されている電話帳データを示しており、図４（ａ）は、親機１００の表示部１４０の電話帳データ表示形態を示している。
【００４６】
前記記憶部１２０には、相手先のデータである第１の電話番号データ（例えば自宅の電話番号）ａと、第２の電話番号データ（例えば携帯電話の番号）ｂと、相手先氏名のよみがな（“かな”）データｃと、相手先氏名の漢字データｄとを１件ごとに格納しており、これらのデータを複数件分格納可能である。
【００４７】
漢字データは入力されたよみがな（かな）データが漢字変換されたものであり、この入力されたよみがな（かな）データと漢字データとは対で格納される。
【００４８】
尚、よみがな（かな）データは漢字変換の為に入力されるものではなくとも別に入力されたデータであっても良いが、漢字データと対で格納しておく必要がある。
【００４９】
又、親機１００の表示部１４０は、前記記憶部１２０に格納されている電話帳データが全て表示できるように、数字、かな、漢字を表示することが可能である（図４（ａ）参照）。
【００５０】
図３（ｂ）は、子機５００の記憶部５７０内に格納されている電話帳データを示しており、図４（ｂ）は、子機５００の表示部５８０の電話帳データ表示形態を示している。
【００５１】
前記記憶部５７０には、相手先のデータである第１の電話番号データ（例えば自宅の電話番号）ａと、第２の電話番号データ（例えば携帯電話の番号）ｂと、相手先氏名のよみがな（“かな”）データｃを１件ごとに格納しており、これらのデータを複数件分格納可能である。
【００５２】
又、子機５００の表示部５８０は、前記記憶部５７０に格納されている電話帳データ（番号データ、“かな”データ）を表示することが可能であるが、漢字データを表示することはできない（図４（ｂ）参照）。
【００５３】
次に本実施例装置の動作を説明する。
【００５４】
図５は、親機１００から子機５００へ電話帳データを送信する際の接続シーケンスである。
【００５５】
まず、Ｓ１ステップにおいて、子機５００の制御部５９０は、入力部５６０から子機リモート開始を指示する信号を検出すると、送受信部５１０から親機１００へ子機リモートを開始することを示す信号（ＲＥＭ）を送信させる。
【００５６】
Ｓ２ステップでは、親機１００の制御部２５０は、送受信部１３０から前記リモート開始信号（ＲＥＭ）を受信したことを示す信号を検出すると、前記送受信部１３０を制御することにより前記ＲＥＭを受信したことを示す信号（ＡＣＫ１）を子機５００へ送信させる。
【００５７】
尚、前記Ｓ１、Ｓ２ステップの送受信動作は制御チャンネル上で行われ、前記子機リモートとは、親機１００から子機５００へ電話帳データを送信する動作や、親機１００に記憶されている留守録メッセージの再生等の動作をいう。
【００５８】
その後、親機１００と子機５００間で通話チャンネルが確立される。
【００５９】
Ｓ３ステップでは、子機５００の制御部５９０は、入力部５６０から電話帳データ送信指示を示すキー（例えば、“８”と“＃”）の押下信号を検出すると、送受信部５１０を制御することによりダイヤル信号の“８”を親機１００へ送信させ、前記ダイヤル信号を受信したことを示す信号（ＲＥＭ  ＡＣＫ）を親機１００から受信したことを示す信号を送受信部５１０から検出する。
【００６０】
同様にして、制御部５９０は、送受信部５１０からダイヤル信号の“８”を親機１００へ送信させ、親機１００からＲＥＭ  ＡＣＫを受信したことを前記送受信部５１０から検出するとダイヤル信号の“８”と“＃”の送信を完了したと判定する。
【００６１】
Ｓ４ステップでは、親機１００の制御部２５０は、送受信部１３０を制御することにより電話帳データ転送開始を示す信号を子機５００へ送信させる。
【００６２】
Ｓ５ステップでは、子機５００の送受信部５１０から前記開始信号を受信したことを示す信号（ＡＣＫ２）が親機１００へ送信される。
【００６３】
以下、Ｓ６〜Ｓ９ステップにおいて、親機１００の記憶部１２０に格納されている電話帳データを子機５００へ送信する動作が行われる。
【００６４】
尚、図５は、Ｓ６〜Ｓ９ステップにおいて、親機１００から子機５００へ送信されるデータ信号を示しており、前記データは、先頭から、１と０が交互に並んだ１２ビット以上の符号からなるビット同期信号ＢＳ（Ａ）と、１６ビット以上の符号からなり各々の子機に付されている固有のＩＤ（図示せず）によりビット数の異なるフレーム同期信号ＦＳ（Ｂ）と、電話帳データであることを示すデータを含んだコマンド信号（Ｃ）と、第１、第２の電話番号、かなデータ、漢字データ等である電話帳データ（Ｄ）と、１ビットの符号からなり自身が漢字データを表示可能か否かを示すフラグデータ（漢字データを表示可能である際にはオン、表示不可能である際にはオフとなる）（Ｅ）と、１６ビット以上の符号からなるフレーム同期信号ＦＳ（Ｆ）とからなる。
【００６５】
又、Ｓ６〜Ｓ９ステップでは、子機５００はこのようなデータ信号を受信する度に、親機１００から送信された電話帳データ（フラグデータ（Ｅ）を除く）と同一のデータ信号を親機１００へ送信する。
【００６６】
更に、本実施例では親機１００の表示部１４０は漢字データも表示可能である為、Ｓ６〜Ｓ８ステップにおいて親機１００から子機５００へ送信されるフラグデータ（Ｅ）は全てオンとなっており、一方、子機５００の表示部５８０は漢字データを表示することができない為、子機５００から親機１００へ送信されるＳ６〜Ｓ８ステップにおけるフラグデータ（Ｅ）は全てオフとなっている。
【００６７】
先ず、Ｓ６ステップにおいて、親機１００の制御部２５０は、記憶部１２０に格納されている電話帳データ１件の内の番号１データを読み込み、図５に示すデータ信号の電話帳データ（Ｄ）領域に前記番号１データを含ませ、フラグデータ（Ｅ）をオンとしたデータ信号（ＮＯ．１）を送受信部１３０から子機５００へ送信させる。
【００６８】
一方、子機５００側では、制御部５９０が送受信部５１０から前記データ信号を受信したことを示す信号を検出すると、送受信部５１０を制御することにより受信した信号のフラグデータ（Ｅ）をオフとした信号（ＮＯ．１  ＡＣＫ）を親機１００へ送信させる。
【００６９】
続くＳ７ステップでは、親機１００の制御部２５０は、記憶部１２０に格納されている電話帳データ１件の内の番号２データを読み込み、図５に示すデータ信号の電話帳データ（Ｄ）領域に前記番号２データを含ませ、フラグデータ（Ｅ）をオンとしたデータ信号（ＮＯ．２）を送受信部１３０から子機５００へ送信させる。
【００７０】
一方、子機５００側では、制御部５９０が送受信部５１０から前記データ信号を受信したことを示す信号を検出すると、送受信部５１０を制御することにより受信した信号のフラグデータ（Ｅ）をオフとした信号（ＮＯ．２  ＡＣＫ）を親機１００へ送信させる。
【００７１】
尚、前記Ｓ６〜Ｓ７ステップにおいて、前記子機５００から送信されたフラグデータ（Ｅ）は、親機１００の記憶部１２０に格納される。
【００７２】
その後、Ｓ８ステップでは、親機１００の制御部２５０は、記憶部１２０に格納されているフラグデータに基づいて、子機５００の表示部５８０は漢字データを表示可能であるか否かを判定し、漢字データ又は“かな”データを子機５００へ送信させる。
【００７３】
尚、本実施例では、記憶部１２０に格納されているフラグデータはオフである為、制御部２５０は、送受信部１３０を制御することにより電話帳データ（Ｄ）領域に“かな”データを含ませると共にフラグデータ（Ｅ）をオンにしたデータ信号（かな）を子機５００へ送信させる（Ｓ８ステップ）。
【００７４】
一方、子機５００側では、制御部５９０が送受信部５１０から前記データ信号（かな）を受信したことを示す信号を検出すると、送受信部５１０を制御することにより受信した信号のフラグデータ（Ｅ）をオフとした信号（かな  ＡＣＫ）を親機１００へ送信させる（Ｓ８ステップ）。
【００７５】
このようにして１件分の電話帳データが親機１００から子機５００へ送信される。
【００７６】
尚、記憶部１２０に複数件の電話帳データが格納されている場合には、Ｓ６〜Ｓ８ステップの動作が件数分繰り返される。
【００７７】
その後、Ｓ９ステップでは、親機１００の制御部２５０は、送受信部１３０を制御することにより電話帳データの送信が終了したことを示す信号を子機５００へ送信させる。
【００７８】
以上説明したように、親機１００から子機５００へ電話帳データを送信する際に、子機５００から親機１００へは自身が漢字データを受信可能か否かを示す情報が送信される。又、親機１００は受信した前記情報に基づいて子機５００へ漢字データを送信するか否かを制御することが可能である。
【００７９】
この為、受信側装置が漢字表示はできないが“かな”表示可能である場合には、送信側装置は、受信側装置の機能に合わせて電話番号データと共に“かな”データのみ送信する。
【００８０】
これにより、受信側装置が漢字データを表示できない為に電話帳データを受信することができないという問題を回避することができる。
【００８１】
尚、電話帳データの送信側が漢字表示できず“かな”表示が可能であり、受信側が“かな”表示と漢字表示両方が可能な場合にも、送信側からは電話番号データと“かな”データのみ送信される構成にしても良いのは言うまでもなく、受信側装置は受信した“かな”データを表示部のよみがなデータ表示領域ｃに表示するだけでなく漢字データ表示領域ｄにも表示する構成にしても良い。
【００８２】
又、本実施例では、電話帳データに前記フラグデータ（Ｅ）を設けた構成にしたが、漢字データを送信するか否かを示す情報を制御チャンネル上で送受信されるデータ等、他の送受信データに設ける構成にしても良い。
【００８３】
更に、本実施例では複数件の電話帳データを送信転送する構成にしたが、１件のみ転送可能としても良く、本実施例では親機１００から子機５００へ電話帳データを転送可能としたが、子機５００から親機１００へ電話帳データを転送可能としても良い。
【００８４】
【発明の効果】
本発明の通信装置は、相手側端末が漢字データを表示できない場合でも電話帳データを送信することが可能である。
【図面の簡単な説明】
【図１】本発明を適用してなる実施例装置の親機１００のブロック図である。
【図２】本発明を適用してなる実施例装置の子機５００のブロック図である。
【図３】記憶部内における電話帳データの格納形態である。
【図４】表示部に表示される電話帳データの表示形態である。
【図５】親機１００と子機５００間の通信手順を示す図である。
【図６】親機１００と子機５００間で送受信されるデータを示す図ある。
【符号の説明】
１００  親機
１１０  入力部
１２０  記憶部
１３０  送受信部
１４０  表示部
１５０  アンテナ
１６０  ダイオードブリッジ
１７０  網制御部
１８０  スピーチネットワーク部
１９０  スピーカ
２００  マイク
２１０  極性検出回路
２２０  電源回路
２３０  ＡＣ／ＤＣ変換部
２４０  アダプタ
５００  子機
５１０  送受信部
５２０  アンテナ
５３０  通話回路
５４０  スピーカ
５５０  マイク
５６０  入力部
５７０  記憶部
５８０  表示部
５９０  制御部
６００  ダイオードブリッジ
６１０  バッテリ
６２０  電源回路
７００  充電器
７１０  ＡＣ／ＤＣ変換部
【図１】
0003679689.tif 000002
【図２】
0003679689.tif 000003
【図３】
0003679689.tif 000004
【図４】
0003679689.tif 000005
【図５】
0003679689.tif 000006
【図６】
0003679689.tif 000007